(57)【要約】【課題】タッチ操作の操作性に優れた電子機器を提供する。【解決手段】原稿がセットされるセット部１２と、原稿に表示された画像に対応した画像データを記憶する画像データ記憶部と、原稿がセットされたセット部１２に対するタッチ位置を検出するタッチセンサー１４と、記憶された画像データに対し、検出されたセット部１２に対するタッチ位置に対応した位置に、編集を行う画像データ編集部とを備えた。編集された画像データに基づく印刷イメージを表示するディスプレイ１３をさらに備えたことが好ましい。【選択図】図２
2018082375.tif 000002
【特許請求の範囲】
【請求項１】
原稿がセットされるセット部と、
前記原稿に表示された画像に対応した画像データを記憶する画像データ記憶部と、
前記原稿がセットされた前記セット部に対するタッチ位置を検出する検出部と、
記憶された前記画像データに対し、検出された前記セット部に対するタッチ位置に対応した位置に、編集を行う画像データ編集部と、
を備えたことを特徴とする電子機器。
【請求項２】
編集された前記画像データに基づく印刷イメージを表示する表示部、をさらに備えたことを特徴とする請求項１に記載の電子機器。
【請求項３】
前記検出部は、前記表示部に対するタッチ位置をさらに検出することを特徴とする請求項２に記載の電子機器。
【請求項４】
前記原稿から前記画像データを読み取る読取部、をさらに備え、
前記画像データ記憶部は、読み取られた前記画像データを記憶することを特徴とする請求項１ないし３のいずれか一項に記載の電子機器。
【請求項５】
前記原稿を前記読取部の読取り位置まで搬送した後、前記原稿を前記セット部まで搬送する搬送部、をさらに備えたことを特徴とする請求項４に記載の電子機器。
【請求項６】
前記セット部には、前記原稿のセット位置を示す基準マークが設けられていることを特徴とする請求項１ないし４のいずれか一項に記載の電子機器。
【請求項７】
印刷部をさらに備え、
前記印刷部は、前記画像データに基づいて印刷を行うことを特徴とする請求項１ないし６のいずれか一項に記載の電子機器。
【請求項８】
印刷部をさらに備え、
前記印刷部は、編集された前記画像データに基づいて印刷を行うことを特徴とする請求項１ないし７のいずれか一項に記載の電子機器。
【請求項９】
編集された前記画像データを送信する画像データ送信部、をさらに備えたことを特徴とする請求項１ないし８のいずれか一項に記載の電子機器。
【請求項１０】
本体部と、前記セット部および前記検出部が設けられた操作部と、を有する筺体、をさらに備え、
前記操作部は、前記本体部に対して着脱可能であることを特徴とする請求項１ないし９のいずれか一項に記載の電子機器。
【請求項１１】
複数の選択肢が印刷された印刷物がセットされるセット部と、
前記印刷物における前記選択肢の印刷範囲に対応したタッチ範囲と前記選択肢とが前記選択肢ごとに関連付けられた選択肢データを記憶する選択肢データ記憶部と、
前記印刷物がセットされた前記セット部に対するタッチ位置を検出する検出部と、
前記選択肢データにおいて、検出された前記セット部に対するタッチ位置が含まれる前記タッチ範囲と関連付けられた前記選択肢を選択する選択肢選択部と、
を備えたことを特徴とする電子機器。
【請求項１２】
選択された前記選択肢を表示する表示部、をさらに備えたことを特徴とする請求項１１に記載の電子機器。
【請求項１３】
前記検出部は、前記表示部に対するタッチ位置をさらに検出することを特徴とする請求項１２に記載の電子機器。
【請求項１４】
前記セット部には、前記印刷物のセット位置を示す基準マークが設けられていることを特徴とする請求項１１ないし１３のいずれか一項に記載の電子機器。
【請求項１５】
印刷部をさらに備え、
前記印刷部は、前記印刷物に対応した画像データに基づいて印刷を行うことを特徴とする請求項１１ないし１４のいずれか一項に記載の電子機器。
【請求項１６】
印刷部をさらに備え、
前記印刷部は、選択された前記選択肢に対応した画像データに基づいて印刷を行うことを特徴とする請求項１１ないし１５のいずれか一項に記載の電子機器。
【請求項１７】
選択された前記選択肢に対応した送信先データを取得する送信先データ取得部と、
取得された前記送信先データに基づいて、画像データを送信する画像データ送信部と、
をさらに備えたことを特徴とする請求項１１ないし１５のいずれか一項に記載の電子機器。
【請求項１８】
複数の操作対象部が印刷された印刷物がセットされるセット部と、
前記印刷物における前記操作対象部の印刷範囲に対応したタッチ範囲と制御内容とが前記操作対象部ごとに関連付けられた操作対象部データを記憶する操作対象部データ記憶部と、
前記印刷物がセットされた前記セット部に対するタッチ位置を検出する検出部と、
前記操作対象部データにおいて、検出された前記セット部に対するタッチ位置が含まれる前記タッチ範囲と関連付けられた前記制御内容を行う制御部と、
を備えたことを特徴とする電子機器。
【請求項１９】
表示部をさらに備え、
前記制御部は、検出された前記セット部に対するタッチ位置と前記操作対象部データにおいて関連付けられた前記操作対象部に応じて、前記表示部を制御することを特徴とする請求項１８に記載の電子機器。
【請求項２０】
前記検出部は、前記表示部に対するタッチ位置をさらに検出することを特徴とする請求項１９に記載の電子機器。
【請求項２１】
前記セット部には、前記印刷物のセット位置を示す基準マークが設けられていることを特徴とする請求項１８ないし２０のいずれか一項に記載の電子機器。
【請求項２２】
印刷部をさらに備え、
前記印刷部は、前記印刷物に対応した画像データに基づいて印刷を行うことを特徴とする請求項１８ないし２１のいずれか一項に記載の電子機器。
【発明の詳細な説明】
【技術分野】
【０００１】
本発明は、タッチ位置を検出する電子機器に関するものである。
【背景技術】
【０００２】
従来、ディスプレイおよびタッチセンサーを備えたＭＦＰ（Multi-functional Peripheral）が知られている。タッチセンサーは、ディスプレイに対するタッチ位置を検出する（特許文献１参照）。
【先行技術文献】
【特許文献】
【０００３】
【特許文献１】特開２０１５−０２６９４４号公報
【発明の概要】
【発明が解決しようとする課題】
【０００４】
従来のＭＦＰのように、表示部に対するタッチ位置を検出する検出部を備えた電子機器の場合、ユーザーは表示部に対してタッチ操作を行うため、表示部の画面サイズが小さいと、タッチ操作をしづらいという課題がある。
【０００５】
本発明は、タッチ操作の操作性に優れた電子機器を提供することを課題としている。
【課題を解決するための手段】
【０００６】
本発明の電子機器は、原稿がセットされるセット部と、原稿に表示された画像に対応した画像データを記憶する画像データ記憶部と、原稿がセットされたセット部に対するタッチ位置を検出する検出部と、記憶された画像データに対し、検出されたセット部に対するタッチ位置に対応した位置に、編集を行う画像データ編集部と、を備えたことを特徴とする。
【０００７】
この構成によれば、原稿がセットされたセット部および検出部をタッチパネルとして機能させることができる。このため、ユーザーは、セット部にセットされた原稿に対してタッチ操作を行うことで、画像データを編集することができる。したがって、画面サイズの小さなタッチパネルに対してタッチ操作を行う場合に比べ、タッチ操作の操作性に優れた電子機器を提供することができる。
【０００８】
この場合、編集された画像データに基づく印刷イメージを表示する表示部、をさらに備えたことが好ましい。
【０００９】
この構成によれば、編集された画像データに基づく印刷イメージをユーザーに確認させることができる。
【００１０】
この場合、検出部は、表示部に対するタッチ位置をさらに検出することが好ましい。
【００１１】
この構成によれば、表示部および検出部をタッチパネルとして機能させることができる。
【００１２】
この場合、原稿から画像データを読み取る読取部、をさらに備え、画像データ記憶部は、読み取られた画像データを記憶することが好ましい。
【００１３】
この構成によれば、読取部により原稿から画像データを読み取ることで、画像データを記憶することができる。
【００１４】
この場合、原稿を読取部の読取り位置まで搬送した後、原稿をセット部まで搬送する搬送部、をさらに備えたことが好ましい。
【００１５】
この構成によれば、読取部により原稿から画像データが読み取られた後、原稿をセット部にセットする操作を行う手間を省くことができる。
【００１６】
この場合、セット部には、原稿のセット位置を示す基準マークが設けられていることが好ましい。
【００１７】
この構成によれば、ユーザーは、基準マークに従って原稿をセットすることで、原稿を適切な位置にセットすることができる。
【００１８】
この場合、印刷部をさらに備え、印刷部は、画像データに基づいて印刷を行うことが好ましい。
【００１９】
この構成によれば、セット部にセットされる原稿を印刷することができる。
【００２０】
この場合、印刷部をさらに備え、印刷部は、編集された画像データに基づいて印刷を行うことが好ましい。
【００２１】
この構成によれば、編集された画像データを印刷することができる。
【００２２】
この場合、編集された画像データを送信する画像データ送信部、をさらに備えたことが好ましい。
【００２３】
この構成によれば、編集された画像データを送信することができる。
【００２４】
この場合、本体部と、セット部および検出部が設けられた操作部と、を有する筺体、をさらに備え、操作部は、本体部に対して着脱可能であることが好ましい。
【００２５】
この構成によれば、ユーザーは、操作部を本体部から取り外すことにより、本体部が設置された場所とは異なる場所で、操作部のセット部にセットされた原稿に対して操作を行うことができる。
【００２６】
本発明の他の電子機器は、複数の選択肢が印刷された印刷物がセットされるセット部と、印刷物における選択肢の印刷範囲に対応したタッチ範囲と選択肢とが選択肢ごとに関連付けられた選択肢データを記憶する選択肢データ記憶部と、印刷物がセットされたセット部に対するタッチ位置を検出する検出部と、選択肢データにおいて、検出されたセット部に対するタッチ位置が含まれるタッチ範囲と関連付けられた選択肢を選択する選択肢選択部と、を備えたことを特徴とする。
【００２７】
この構成によれば、印刷物がセットされたセット部および検出部をタッチパネルとして機能させることができる。このため、ユーザーは、セット部にセットされた印刷物に対してタッチ操作を行うことで、選択肢を選択することができる。したがって、画面サイズの小さなタッチパネルに対してタッチ操作を行う場合に比べ、タッチ操作の操作性に優れた電子機器を提供することができる。
【００２８】
この場合、選択された選択肢を表示する表示部、をさらに備えたことが好ましい。
【００２９】
この構成によれば、選択された選択肢をユーザーに確認させることができる。
【００３０】
この場合、検出部は、表示部に対するタッチ位置をさらに検出することが好ましい。
【００３１】
この構成によれば、表示部および検出部をタッチパネルとして機能させることができる。
【００３２】
この場合、セット部には、印刷物のセット位置を示す基準マークが設けられていることが好ましい。
【００３３】
この構成によれば、ユーザーは、基準マークに従って印刷物をセットすることで、印刷物を適切な位置にセットすることができる。
【００３４】
この場合、印刷部をさらに備え、印刷部は、印刷物に対応した画像データに基づいて印刷を行うことが好ましい。
【００３５】
この構成によれば、セット部にセットされる印刷物を印刷することができる。
【００３６】
この場合、印刷部をさらに備え、印刷部は、選択された選択肢に対応した画像データに基づいて印刷を行うことが好ましい。
【００３７】
この構成によれば、選択された選択肢に対応した画像データを印刷することができる。
【００３８】
この場合、選択された選択肢に対応した送信先データを取得する送信先データ取得部と、取得された送信先データに基づいて、画像データを送信する画像データ送信部と、をさらに備えたことが好ましい。
【００３９】
この構成によれば、選択された選択肢に対応した送信先に画像データを送信することができる。
【００４０】
本発明の他の電子機器は、複数の操作対象部が印刷された印刷物がセットされるセット部と、印刷物における操作対象部の印刷範囲に対応したタッチ範囲と制御内容とが操作対象部ごとに関連付けられた操作対象部データを記憶する操作対象部データ記憶部と、印刷物がセットされたセット部に対するタッチ位置を検出する検出部と、操作対象部データにおいて、検出されたセット部に対するタッチ位置が含まれるタッチ範囲と関連付けられた制御内容を行う制御部と、を備えたことを特徴とする。
【００４１】
この構成によれば、印刷物がセットされたセット部および検出部をタッチパネルとして機能させることができる。このため、ユーザーは、セット部にセットされた印刷物に対してタッチ操作を行うことで、電子機器に対して所望の制御内容を行わせることができる。したがって、画面サイズの小さなタッチパネルに対してタッチ操作を行う場合に比べ、タッチ操作の操作性に優れた電子機器を提供することができる。
【００４２】
この場合、表示部をさらに備え、制御部は、検出されたセット部に対するタッチ位置と操作対象部データにおいて関連付けられた操作対象部に応じて、表示部を制御することが好ましい。
【００４３】
この構成によれば、タッチ操作された操作対象部に応じた表示を行うことができる。
【００４４】
この場合、検出部は、表示部に対するタッチ位置をさらに検出することが好ましい。
【００４５】
この構成によれば、表示部および検出部をタッチパネルとして機能させることができる。
【００４６】
この場合、セット部には、印刷物のセット位置を示す基準マークが設けられていることが好ましい。
【００４７】
この構成によれば、ユーザーは、基準マークに従って印刷物をセットすることで、印刷物を適切な位置にセットすることができる。
【００４８】
この場合、印刷部をさらに備え、印刷部は、印刷物に対応した画像データに基づいて印刷を行うことが好ましい。
【００４９】
この構成によれば、セット部にセットされる印刷物を印刷することができる。
【図面の簡単な説明】
【００５０】
【図１】本発明の電子機器の実施形態である複合機を含む複合機システムを示す図である。
【図２】第１実施形態の複合機の概略構成を示す図である。
【図３】ＡＤＦの概略構成を示す図である。
【図４】第１実施形態の複合機の全体構成を示すブロック図である。
【図５】第１実施形態の複合機が実行する画像編集処理のフローチャートである。
【図６】編集操作画面を示す図である。
【図７】第１実施形態の複合機に原稿がセットされた状態を示す図である。
【図８】図７に続いて、ディスプレイに表示された編集ボタンに対してタッチ操作が行われた状態を示す図である。
【図９】図８に続いて、セット部にセットされた原稿に対してタッチ操作が行われた状態を示す図である。
【図１０】図９に続いて、プレビュー画面がディスプレイに表示された状態を示す図である。
【図１１】図１０に続いて、編集された画像データに基づいて印刷された編集物を示す図である。
【図１２】第１実施形態の第１変形例の複合機の概略構成を示す図である。
【図１３】第１実施形態の第２変形例の複合機の概略構成を示す図である。
【図１４】第１実施形態の第３変形例のスキャナー装置の概略構成を示す図である。
【図１５】第１実施形態の第４変形例の操作機器の概略構成を示す図である。
【図１６】第２実施形態の複合機の全体構成を示すブロック図である。
【図１７】第２実施形態の複合機が実行する選択肢選択処理のフローチャートである。
【図１８】第２実施形態の複合機に印刷物がセットされた状態を示す図である。
【図１９】図１８に続いて、印刷物に印刷されたサムネイルに対してタッチ操作が行われた状態を示す図である。
【図２０】図１９に続いて、選択されたサムネイルがディスプレイに表示された状態を示す図である。
【図２１】図２０に続いて、選択されたサムネイルに対応して印刷された写真を示す図である。
【図２２】第２実施形態の変形例の複合機の全体構成を示すブロック図である。
【図２３】第２実施形態の変形例の複合機が実行する選択肢選択処理のフローチャートである。
【図２４】第２実施形態の変形例の複合機に印刷物がセットされた状態を示す図である。
【図２５】図２４に続いて、印刷物に印刷されたファクシミリ送信先に対してタッチ操作が行われた状態を示す図である。
【図２６】図２５に続いて、選択されたファクシミリ送信先がディスプレイに表示された状態を示す図である。
【図２７】第３実施形態の複合機の全体構成を示すブロック図である。
【図２８】第３実施形態の複合機が実行する操作制御処理のフローチャートである。
【図２９】第３実施形態の複合機に印刷物がセットされた状態を示す図である。
【図３０】図２９に続いて、印刷物に印刷されたキーに対してタッチ操作が行われた状態を示す図である。
【図３１】図３０に続いて、タッチ操作が行われたキーに応じた画像がディスプレイに表示された状態を示す図である。
【図３２】印刷物の他の例を示す図である。
【発明を実施するための形態】
【００５１】
本発明の電子機器の第１実施形態である複合機１について説明する。複合機１は、ＭＦＰ（Multi-functional Peripheral）とも呼ばれ、プリント機能、スキャン機能、コピー機能、ファクシミリ通信機能およびメール送信機能などの複数の機能を有する。第１実施形態の複合機１は、原稿Ｄ１がセットされたセット部１２に対するタッチ位置を検出し、検出したタッチ位置に基づいて、原稿Ｄ１に対応した画像データを編集する画像編集処理を実行するものである。
【００５２】
図１に基づいて、複合機１を含む複合機システムＳｙについて説明する。複合機１は、ＬＡＮ１０１（Local Area Network）および電話回線１０２と接続されている。ＬＡＮ１０１には、情報処理装置１００が接続されている。情報処理装置１００としては、例えば、パソコン、ファイルサーバーおよびメールサーバーを用いることができる。複合機１は、ＬＡＮ１０１を介して、これらの情報処理装置１００と通信可能である。また、ＬＡＮ１０１は、インターネット１０３に接続されている。複合機１は、ＬＡＮ１０１およびインターネット１０３を介して、インターネット１０３上に設けられた情報処理装置１００（例えば、クラウドサーバー）と通信可能である。さらに、複合機１は、電話回線１０２を用いて、ファクシミリ通信を行うことができる。
【００５３】
図２に基づいて、複合機１の概略構成について説明する。複合機１は、筺体１１と、セット部１２と、ディスプレイ１３と、タッチセンサー１４と、印刷機構１５と、読取りユニット１６と、ＡＤＦ１７（Auto Document Feeder）とを備えている。セット部１２、ディスプレイ１３およびタッチセンサー１４は、略直方体状の筺体１１の上面に設けられ、印刷機構１５、読取りユニット１６およびＡＤＦ１７は、筺体１１に内蔵されている。また、筺体１１の一側面には、印刷済みの印刷媒体が排出される排紙口１８が設けられている。
【００５４】
セット部１２には、原稿Ｄ１（図７参照）がセットされる。原稿Ｄ１には、印刷或いは手書きされた画像が表示されている。ディスプレイ１３は、各種表示を行う。ディスプレイ１３としては、例えば、液晶ディスプレイ或いは有機ＥＬ（electroluminescence）ディスプレイを用いることができる。ディスプレイ１３の画面サイズは、特に限定されるものではないが、例えば、セット部１２にセットされる原稿Ｄ１の通常のサイズ（例えば、Ａ４サイズ）に比べて、小型（例えば、対角線の長さが３インチ程度）である。
【００５５】
タッチセンサー１４は、筺体１１の上面の四辺に沿って枠状に設けられている。すなわち、タッチセンサー１４は、光学方式のものであり、検出光（例えば赤外線）を発光する発光部と、発光部に対向して設けられ検出光を受光する受光部とが、縦横に設けられている。なお、タッチセンサー１４は、２つの発光部と、検出光を受光するイメージセンサーとを備え、三角測量法によりタッチ位置を検出するものでもよい。さらに、タッチセンサー１４は、光学方式に限定されるものではなく、例えば、静電容量方式のものでもよく、抵抗膜方式のものでもよい。
【００５６】
セット部１２およびディスプレイ１３は、タッチセンサー１４の内側、すなわち、タッチセンサー１４がタッチ位置を検出可能な領域内に設けられている。このため、タッチセンサー１４は、セット部１２に対するタッチ位置と、ディスプレイ１３に対するタッチ位置とを検出することができる。これにより、原稿Ｄ１がセットされたセット部１２およびタッチセンサー１４をタッチパネルとして機能させることができ、また、ディスプレイ１３およびタッチセンサー１４をタッチパネルとして機能させることができる。換言すれば、ディスプレイ１３の画面サイズよりも大きな検出可能領域を有するタッチセンサー１４を備えたことにより、ディスプレイ１３が設けられていない箇所についても、タッチパネルとして利用することができる。なお、タッチ位置は、例えば、タッチセンサー１４の検出可能領域における座標データとして検出される。
【００５７】
なお、タッチセンサー１４は、ディスプレイ１３に対するタッチ位置の検出を必要としない場合には、セット部１２に対するタッチ位置のみを検出する構成でもよい。すなわち、セット部１２をタッチセンサー１４の検出可能領域内に設け、ディスプレイ１３をタッチセンサー１４の検出可能領域外に設けた構成でもよい。
【００５８】
印刷機構１５は、例えば、読取りユニット１６により読み取られた画像データに基づいて、印刷用紙等の印刷媒体に印刷を行う。印刷機構１５の印刷方式は、特に限定されるものではなく、例えば、インクジェット方式でもよく、電子写真方式でもよい。
【００５９】
読取りユニット１６は、ＡＤＦ１７により読取りユニット１６の読取り位置Ｐ（図３参照）に搬送されてきた原稿Ｄ１から、画像データを読み取る。読取りユニット１６は、図示省略したが、光源と、イメージセンサーとを備えている。光源は、読取り位置Ｐを通過する原稿Ｄ１に対して、光を照射する。イメージセンサーは、読取り位置Ｐを通過する原稿Ｄ１からの反射光を検出する。
【００６０】
ＡＤＦ１７は、セット部１２にセットされた原稿Ｄ１を、読取りユニット１６の読取り位置Ｐに向けて搬送する。また、ＡＤＦ１７は、原稿Ｄ１を読取り位置Ｐまで搬送した後、原稿Ｄ１をセット部１２まで搬送する。これにより、原稿Ｄ１がセット部１２にセットされる。すなわち、原稿Ｄ１が、タッチセンサー１４の検出可能領域内の所定の位置にセットされる。このため、読取りユニット１６により原稿Ｄ１から画像データが読み取られた後、原稿Ｄ１をセット部１２にセットする操作を行う手間を省くことができる。なお、筺体１１の上面には、原稿Ｄ１の搬送経路の出入口となる搬送口１９が設けられている。
【００６１】
図３に基づいて、ＡＤＦ１７について説明する。ＡＤＦ１７は、給紙ローラー１７１と、搬送ローラー１７２と、反転ローラー１７３とを備えている。給紙ローラー１７１は、搬送口１９の近傍に設けられ、セット部１２にセットされた原稿Ｄ１を搬送ローラー１７２に向けて搬送する。搬送ローラー１７２は、読取りユニット１６と対向するように設けられ、給紙ローラー１７１から搬送されてきた原稿Ｄ１が読取り位置Ｐを通過するように、反転ローラー１７３に向けて搬送する。反転ローラー１７３は、原稿Ｄ１を反転ローラー１７３の周りを周るように搬送することで、原稿Ｄ１を表裏反転させる。また、搬送ローラー１７２の周りには、複数の搬送ガイドローラー１７４が設けられ、反転ローラー１７３の周りには、複数の反転ガイドローラー１７５が設けられている。
【００６２】
原稿Ｄ１の片面のみが読取りユニット１６に読み取られる場合、セット部１２にセットされた原稿Ｄ１が、搬送ローラー１７２を経て反転ローラー１７３に向けて搬送され、読取り位置Ｐを通過する。このとき、原稿Ｄ１の両面のうち、セット部１２にセットされた状態で上を向いていた面が、読取りユニット１６により読み取られる。原稿Ｄ１の全体が読取り位置Ｐを通過すると、原稿Ｄ１がセット部１２に向けて搬送される。これにより、搬送前にセット部１２にセットされた状態で上を向いていた面、すなわち読取り面が上を向くようにして、原稿Ｄ１がセット部１２に自動的にセットされる。
【００６３】
原稿Ｄ１の両面が読取りユニット１６に読み取られる場合、まず、片面のみが読み取られる場合と同様にして、原稿Ｄ１が搬送され、セット部１２にセットされた状態では上を向いていた面が、読取りユニット１６により読み取られる。続いて、原稿Ｄ１が反転ローラー１７３の周りを搬送されて原稿Ｄ１が表裏反転した後、原稿Ｄ１がセット部１２に向けて搬送される。原稿Ｄ１の全体が読取り位置Ｐよりもセット部１２側に搬送されると、再び原稿Ｄ１が反転ローラー１７３に向けて搬送され、読取り位置Ｐを通過する。このとき、原稿Ｄ１の両面のうち、先の読取り面とは逆の面、すなわちセット部１２にセットされた状態で下を向いていた面が、読取りユニット１６により読み取られる。続いて、原稿Ｄ１が反転ローラー１７３の周りを搬送されて表裏反転した後、原稿Ｄ１がセット部１２に向けて搬送される。これにより、搬送前にセット部１２にセットされた状態で上を向いていた面、すなわち１回目の読取り面が上を向くようにして、原稿Ｄ１がセット部１２に自動的にセットされる。なお、ＡＤＦ１７は、２回目の読取り面が上を向くようにして、原稿Ｄ１をセット部１２まで搬送する構成でもよい。また、ＡＤＦ１７は、片面の読取りのみが可能なように原稿Ｄ１を搬送する構成でもよい。
【００６４】
図４に基づいて、複合機１の全体構成について説明する。複合機１は、上記のディスプレイ１３、タッチセンサー１４、印刷機構１５、読取りユニット１６およびＡＤＦ１７に加えて、ストレージ２１と、通信インターフェース２２と、制御回路２３とをさらに備えている。
【００６５】
ストレージ２１には、各種データが格納される。ストレージ２１としては、例えば、ハードディスクドライブを用いることができる。通信インターフェース２２は、情報処理装置１００等の外部装置との間で、各種コマンドやデータを送受信する。
【００６６】
制御回路２３は、機能部として、画像データ記憶部２３１と、ボタン決定部２３２と、画像データ編集部２３３とを備えている。なお、制御回路２３は、図示省略したが、ＣＰＵ（Central Processing Unit）と、ＲＯＭ（Read Only Memory）と、ＲＡＭ（Random Access Memory）とを備えている。ＲＯＭに記憶されたプログラムを、ＣＰＵがＲＡＭを用いて実行することにより、制御回路２３の各機能部、すなわち、画像データ記憶部２３１、ボタン決定部２３２および画像データ編集部２３３が実現される。後述する第２実施形態および第３実施形態における各機能部についても、同様である。
【００６７】
画像データ記憶部２３１は、画像データを記憶する。この画像データは、例えば、読取りユニット１６により原稿Ｄ１から読み取られたものである。
【００６８】
ボタン決定部２３２は、後述するディスプレイ１３の編集操作画面１３ａ（図６参照）に表示された編集ボタンのなかから、ユーザーのタッチ操作により選択された編集ボタンを、タッチセンサー１４により検出されたディスプレイ１３に対するタッチ位置に基づいて、決定する。
【００６９】
画像データ編集部２３３は、画像データ記憶部２３１に記憶された画像データに対し、タッチセンサー１４により検出されたセット部１２に対するタッチ位置に対応した位置に、編集を行う。
【００７０】
図４を参照しつつ、図５に基づいて、複合機１が実行する画像編集処理について説明する。
【００７１】
ステップＳ１０１では、まず、ユーザーによりセット部１２に原稿Ｄ１がセットされる。なお、セット部１２にセットされる原稿Ｄ１は、他の装置によって印刷されたものでもよく、手書きされたものでもよい。また、原稿Ｄ１は、ストレージ２１から読み出した画像データ或いは情報処理装置１００から送信された画像データに基づいて、複合機１自身が印刷したものでもよい。
【００７２】
セット部１２に原稿Ｄ１がセットされた状態で、ディスプレイ１３に対して所定のタッチ操作が行われると、ＡＤＦ１７が、セット部１２にセットされた原稿Ｄ１の搬送を開始する。そして、読取りユニット１６が、読取り位置Ｐを通過する原稿Ｄ１から画像データを読み取る。読み取られた画像データは、画像データ記憶部２３１に記憶される。
【００７３】
ステップＳ１０２では、ＡＤＦ１７が、読取り位置Ｐを通過した原稿Ｄ１を、セット部１２まで搬送する。これにより、原稿Ｄ１が、セット部１２にセットされる。
【００７４】
ステップＳ１０３では、ディスプレイ１３が編集操作画面１３ａを表示し、ボタン決定部２３２が、編集操作画面１３ａに表示された複数の編集ボタンのなかから、ユーザーのタッチ操作により選択された編集ボタンを決定する。
【００７５】
図６に示すように、編集操作画面１３ａには、複数の編集ボタン、例えば、マーカーボタン１３１と、トリミングボタン１３２と、鉛筆ボタン１３３と、消しゴムボタン１３４と、スタンプボタン１３５とが表示される。マーカーボタン１３１は、所望の文字列をマーキングするための編集ボタンである。トリミングボタン１３２は、所望の領域を切り取るための編集ボタンである。鉛筆ボタン１３３は、手書き入力を行うための編集ボタンである。消しゴムボタン１３４は、鉛筆ボタン１３３により手書き入力された文字等を消すための編集ボタンである。スタンプボタン１３５は、所定の文字列（例えば「ＤＲＡＦＴ」）や絵柄（例えば星印）等を追加するための編集ボタンである。もちろん、編集操作画面１３ａに表示される編集ボタンの数や種類は、これに限定されるものではない。
【００７６】
ユーザーにより、編集操作画面１３ａに表示された複数の編集ボタンのなかから、所望の編集ボタンに対してタッチ操作が行われると、タッチセンサー１４が、ディスプレイ１３に対するタッチ位置を検出する。そして、ボタン決定部２３２が、検出されたディスプレイ１３に対するタッチ位置に基づいて、タッチ操作により選択された編集ボタンを決定する。
【００７７】
図５に戻り、ステップＳ１０４では、ユーザーにより、原稿Ｄ１の所望の箇所に対して、選択された編集ボタンに応じたタッチ操作が行われると、タッチセンサー１４が、セット部１２に対するタッチ位置を検出する。
【００７８】
ステップＳ１０５では、画像データ編集部２３３が、画像データ記憶部２３１に記憶された画像データに対し、検出されたセット部１２に対するタッチ位置に対応した位置に、ボタン決定部２３２により決定された編集ボタンに対応した編集を行う。そして、ディスプレイ１３が、編集された画像データに基づく印刷イメージ５２（図１０参照）を表示する。これにより、編集された画像データに基づく印刷イメージ５２をユーザーに確認させることができる。
【００７９】
ステップＳ１０６では、ディスプレイ１３に表示された印刷イメージ５２がユーザーにより確認され、ディスプレイ１３に対して所定のタッチ操作が行われると、通信インターフェース２２が、編集された画像データを、ユーザーにより指定された送信先へファクシミリ送信する。これにより、送信先のファクシミリ装置において、複合機１から送信された画像データに基づいて印刷が行われ、その結果、原稿Ｄ１に対して編集が行われた編集物５０（図１１参照）が印刷される。なお、通信インターフェース２２は、編集された画像データを、メール送信してもよい。
【００８０】
なお、ステップＳ１０１では、画像データ記憶部２３１は、予め読取りユニット１６により原稿Ｄ１から読み取られてストレージ２１に格納された画像データを、ストレージ２１から読み出すことにより、画像データを記憶してもよい。また、画像データ記憶部２３１は、情報処理装置１００から送信された画像データを記憶してもよい。これらの場合、セット部１２には、画像データ記憶部２３１に記憶された画像データに基づいて複合機１が印刷した原稿Ｄ１、或いは、記憶された画像データと同じ画像データに基づいて他の装置により印刷された原稿Ｄ１、がユーザーによりセットされ、その後、ステップＳ１０３へ進む。
【００８１】
また、ステップＳ１０６では、印刷機構１５が、編集された画像データに基づいて、印刷を行ってもよい。これにより、複合機１自身が、編集された画像データを印刷することができる。
【００８２】
図７ないし図１１に基づいて、複合機１の使用例として、原稿Ｄ１に対してスタンプ５１（図１１参照）が付されるように編集された画像データを送信する場合の操作手順について説明する。
【００８３】
まず、ユーザーは、図７に示すように、原稿Ｄ１をセット部１２にセットする。そして、ユーザーが、ディスプレイ１３に対して所定の操作を行うと、セット部１２にセットされた原稿Ｄ１が搬送され、原稿Ｄ１から画像データが読み取られた後、再びセット部１２に原稿Ｄ１がセットされる。
【００８４】
続いて、ユーザーは、図８に示すように、編集操作画面１３ａに表示された複数の編集ボタンのなかから、所望の編集ボタン（ここでは、スタンプボタン１３５）に対してタッチ操作を行う。
【００８５】
続いて、ユーザーは、図９に示すように、セット部１２にセットされた原稿Ｄ１に対し、スタンプ５１を付したい箇所に、タッチ操作を行う。このとき、タッチセンサー１４によりセット部１２に対するタッチ位置が検出され、画像データに対し、検出されたタッチ位置に対応した箇所に、スタンプ５１を付す編集が行われる。その結果、図１０に示すように、ディスプレイ１３に、原稿Ｄ１に対してタッチ操作が行われた箇所にスタンプ５１が付された印刷イメージ５２が表示される。
【００８６】
続いて、ユーザーが、ディスプレイ１３に表示された印刷イメージ５２を確認し、ディスプレイ１３に対して所定の操作を行うと、ユーザーが指定した送信先のファクシミリ装置に編集された画像データが送信される。そして、図１１に示すように、送信先のファクシミリ装置において、原稿Ｄ１に対してスタンプ５１が付された編集物５０が印刷される。
【００８７】
以上のように、第１実施形態の複合機１は、セット部１２と、画像データ記憶部２３１と、タッチセンサー１４と、画像データ編集部２３３とを備えている。セット部１２には、原稿Ｄ１がセットされる。画像データ記憶部２３１は、原稿Ｄ１に表示された画像に対応した画像データを記憶する。タッチセンサー１４は、原稿Ｄ１がセットされたセット部１２に対するタッチ位置を検出する。画像データ編集部２３３は、記憶された画像データに対し、検出されたセット部１２に対するタッチ位置に対応した位置に、編集を行う。
この構成によれば、原稿Ｄ１がセットされたセット部１２およびタッチセンサー１４をタッチパネルとして機能させることができる。このため、ユーザーは、セット部１２にセットされた原稿Ｄ１に対してタッチ操作を行うことで、画像データを編集することができる。したがって、画面サイズの小さなタッチパネルに対してタッチ操作を行う場合に比べ、タッチ操作の操作性に優れた複合機１を提供することができる。換言すれば、セット部１２がセットされた原稿Ｄ１をユーザーがタッチすると、それが操作となる。そのため、画面サイズの小さなタッチパネルの場合のように画像が部分表示或いは縮小表示されることなく、画像全体が原寸で表示された原稿Ｄ１に対して、直感的にタッチ操作を行うことができる。
【００８８】
第１実施形態の変形例について説明する。なお、各変形例や後述する第２実施形態および第３実施形態では、説明済みの実施形態と同様の内容については、適宜説明を省略し、説明済みの実施形態とは異なる点を中心に説明する。
【００８９】
図１２に基づいて、第１実施形態の第１変形例である複合機１ａについて説明する。複合機１ａでは、筺体１１が、本体部１１１と、操作部１１２とを備えている。操作部１１２は、本体部１１１の上面に対して着脱可能に設けられている。本体部１１１には、印刷機構１５が設けられ、操作部１１２には、印刷機構１５以外の構成要素が設けられているが、これに限定されるものでなく、操作部１１２には、少なくとも、セット部１２、タッチセンサー１４および制御回路２３が設けられていればよい。なお、複合機１ａは、特に図示しないが、複合機１と同様に、通信インターフェース２２および制御回路２３を備えている。これは、後述する複合機１ｂ、スキャナー装置１ｃおよび操作機器１ｄについても同様である。
【００９０】
このように構成された複合機１ａによれば、ユーザーは、操作部１１２を本体部１１１から取り外すことにより、本体部１１１が設置された場所とは異なる場所で、操作部１１２のセット部１２にセットされた原稿Ｄ１に対して操作を行うことができる。
【００９１】
図１３に基づいて、第１実施形態の第２変形例である複合機１ｂについて説明する。複合機１ｂは、フラットベッドタイプの読取りユニット１６を備え、ＡＤＦ１７は備えていない。また、複合機１ｂは、筺体１１の上面の一端部に開閉可能に設けられたカバー２４を備えている。
【００９２】
カバー２４は、筺体１１の上面の一端部に開閉可能に設けられている。筺体１１の上面には、複合機１の場合と同様に、枠状のタッチセンサー１４が設けられ、その検出可能領域内に、セット部１２およびディスプレイ１３が設けられている。
【００９３】
セット部１２は、透光性の素材（例えばガラス）から成る板状のものである。セット部１２には、原稿Ｄ１のセット位置を示す基準マーク２５が設けられている。ユーザーは、基準マーク２５に従って原稿Ｄ１をセットすることで、原稿Ｄ１を適切な位置にセットすることができる。
【００９４】
読取りユニット１６は、図示しないが、光源と、イメージセンサーと、移動機構とを備えている。光源は、セット部１２の下方に設けられ、セット部１２を介して原稿Ｄ１に光を照射する。イメージセンサーは、セット部１２の下方に設けられ、セット部１２にセットされた原稿Ｄ１からの反射光を検出する。移動機構は、光源およびイメージセンサーを、セット部１２の上面と平行な方向に移動させる。
【００９５】
複合機１ｂでは、まず、ユーザーにより、カバー２４が開かれ、読取り面が下を向いた状態で、基準マーク２５が示す位置に原稿Ｄ１がセットされる。続いて、カバー２４が閉められ、読取りユニット１６により原稿Ｄ１から画像データが読み取られ、読み取られた画像データが画像データ記憶部２３１に記憶される。そして、ユーザーにより、カバー２４が再び開かれ、原稿Ｄ１が表裏反転されて読取り面が上を向いた状態で、基準マーク２５が示す位置に原稿Ｄ１がセットされる。その後は、複合機１の場合と同様にして、タッチセンサー１４が、原稿Ｄ１がセットされたセット部１２に対するタッチ位置を検出し、画像データ編集部２３３が、画像データ記憶部２３１に記憶された画像データに対し、検出されたセット部１２に対するタッチ位置に対応した位置に、編集を行う。
【００９６】
なお、原稿Ｄ１のセット位置は、読取りユニット１６により原稿Ｄ１から画像データが読み取られる時と、原稿Ｄ１がセットされたセット部１２に対するタッチ位置が検出される時とで、異なっていてもよい。そのため、読取り時における原稿Ｄ１のセット位置を示す基準マーク２５と、タッチ位置検出時における原稿Ｄ１のセット位置を示す基準マーク２５とを、別々に設けてもよい。
【００９７】
また、読取りユニット１６を、筺体１１側ではなく、カバー２４側に設けてもよい。この場合、読取り前に読取り面が上を向いた状態で原稿Ｄ１がセット部１２にセットされるため、読取り後にユーザーが原稿Ｄ１を表裏反転させることなく、原稿Ｄ１に対してタッチ操作を行うことができる。
【００９８】
図１４に基づいて、第１実施形態の第３変形例であるスキャナー装置１ｃについて説明する。
【００９９】
スキャナー装置１ｃは、筺体１１と、給紙トレイ２６と、排紙トレイ２７と、セット部１２と、ディスプレイ１３と、タッチセンサー１４と、読取りユニット１６と、ＡＤＦ１７とを備えている。
【０１００】
給紙トレイ２６には、原稿Ｄ１がセットされる。排紙トレイ２７には、給紙トレイ２６から搬送された原稿Ｄ１が排紙される。排紙トレイ２７の上面には、複合機１の場合と同様に、枠状のタッチセンサー１４が設けられ、その検出可能領域内に、セット部１２およびディスプレイ１３が設けられている。
【０１０１】
スキャナー装置１ｃでは、給紙トレイ２６にセットされた原稿Ｄ１が、ＡＤＦ１７により搬送され、筺体１１内を通って読取りユニット１６により画像データが読み取られた後、排紙トレイ２７に排紙される。これにより、読取り面が上を向くようにして、原稿Ｄ１が排紙トレイ２７に設けられたセット部１２に自動的にセットされる。その後は、複合機１の場合と同様にして、タッチセンサー１４が、原稿Ｄ１がセットされたセット部１２に対するタッチ位置を検出し、画像データ編集部２３３が、画像データ記憶部２３１に記憶された画像データに対し、検出されたセット部１２に対するタッチ位置に対応した位置に、編集を行う。編集された画像データは、通信可能に接続されたパソコン等の外部装置に送信される。
【０１０２】
図１５に基づいて、第１実施形態の第４変形例である操作機器１ｄについて説明する。操作機器１ｄは、操作シート２８と、セット部１２と、タッチセンサー１４とを備えている。操作シート２８の一方の面に、セット部１２、タッチセンサー１４、および編集操作部（図示しない）が設けられている。なお、操作シート２８は可撓性を有していてもよく、この場合、収納時や携帯時に、操作機器１ｄを丸めることも可能である。
【０１０３】
操作機器１ｄでは、操作シート２８の少なくとも一部のエリアに編集操作部としての編集操作画面を表示して、該編集操作画面にてユーザーのタッチ操作により編集ボタンが選択され、ユーザーにより原稿Ｄ１がセット部１２にセットされる。その後は、複合機１の場合と同様にして、タッチセンサー１４が、原稿Ｄ１がセットされたセット部１２に対するタッチ位置を検出し、画像データ編集部２３３が、画像データ記憶部２３１に記憶された画像データに対し、検出されたセット部１２に対するタッチ位置に対応した位置に、編集を行う。編集された画像データは、通信可能に接続されたスマートフォン等の外部装置に送信される。なお、スキャナー装置１ｃの排紙トレイ２７を操作機器１ｄに変えてもよい。その場合には、操作機器１ｄとしての排紙トレイ２７が、ＵＳＢケーブル等でスキャナー装置１ｃに接続される形態であってもよい。
【０１０４】
本発明の電子機器の第２実施形態である複合機２について説明する。第２実施形態の複合機２は、複数の画像データにそれぞれ対応した複数の選択肢が印刷された印刷物Ｄ２（図１８参照）がセットされたセット部１２に対するタッチ位置を検出し、検出したタッチ位置に基づいて、選択肢を選択する選択肢選択処理を実行するものである。なお、第１実施形態に示した変形例や他の例は、第２実施形態以降においても同様に適用することができる。
【０１０５】
図１６に基づいて、複合機２の全体構成について説明する。複合機２では、制御回路２３が、機能部として、画像データ記憶部２３１と、選択肢データ記憶部２３４と、選択肢選択部２３５とを備えている。
【０１０６】
選択肢データ記憶部２３４は、選択肢データを記憶する。選択肢データとは、複数の選択肢が印刷された印刷物Ｄ２における選択肢の印刷範囲に対応したタッチ範囲と選択肢とが選択肢ごとに関連付けられたものである。タッチ範囲は、例えば、タッチセンサー１４の検出可能領域における座標データとして表される。
【０１０７】
選択肢選択部２３５は、選択肢データにおいて、検出されたセット部１２に対するタッチ位置が含まれるタッチ範囲と関連付けられた選択肢を選択する。
【０１０８】
図１６を参照しつつ、図１７に基づいて、複合機２が実行する選択肢選択処理について説明する。
【０１０９】
ステップＳ２０１では、情報処理装置１００が、印刷物Ｄ２の印刷ジョブを複合機２に送信し、複合機２がこれを受信する。印刷ジョブには、印刷物Ｄ２に対応した画像データおよび選択肢データが含まれる。画像データは、画像データ記憶部２３１に記憶され、選択肢データは、選択肢データ記憶部２３４に記憶される。そして、印刷機構１５が、画像データに基づいて印刷を行うことにより、複数の選択肢が印刷された印刷物Ｄ２が作成される。
【０１１０】
ステップＳ２０２では、ユーザーにより、ステップＳ２０１において印刷された印刷物Ｄ２がセット部１２にセットされる。
【０１１１】
ステップＳ２０３では、ユーザーにより、セット部１２にセットされた印刷物Ｄ２に対し、複数の選択肢のなかから所望の選択肢を選択するタッチ操作が行われると、タッチセンサー１４が、印刷物Ｄ２がセットされたセット部１２に対するタッチ位置を検出する。そして、選択肢選択部２３５が、選択肢データ記憶部２３４に記憶された選択肢データを参照し、選択肢データにおいて、検出されたセット部１２に対するタッチ位置が含まれるタッチ範囲と関連付けられた選択肢を選択する。なお、選択肢選択部２３５は、一の選択肢を選択した後、再びタッチセンサー１４によりセット部１２に対するタッチ位置が検出された場合に、そのタッチ位置が含まれるタッチ範囲と関連付けられた選択肢を、最初に選択した選択肢に代えて、或いは、最初に選択した選択肢に加えて、選択する構成でもよい。
【０１１２】
ステップＳ２０４では、ディスプレイ１３が、選択肢選択部２３５により選択された選択肢を表示する。これにより、選択された選択肢をユーザーに確認させることができる。このとき、ディスプレイ１３は、選択された選択肢を他の選択肢から識別可能な態様で他の選択肢と共に表示してもよく、或いは、選択された選択肢のみを表示してもよい。
【０１１３】
ステップＳ２０５では、ユーザーによりディスプレイ１３に表示された選択肢が確認され、ディスプレイ１３に対して所定のタッチ操作が行われると、複合機２は、情報処理装置１００に対し、選択された選択肢に対応した画像データを送信するように要求する。そして、情報処理装置１００が、要求された画像データを複合機２に送信し、複合機２がこれを受信する。これにより、画像データ記憶部２３１が、選択された選択肢に対応した画像データを記憶する。
【０１１４】
ステップＳ２０６では、印刷機構１５が、画像データ記憶部２３１に記憶された画像データ、すなわち、ステップＳ２０３において選択された選択肢に対応した画像データ、に基づいて印刷を行う。
【０１１５】
なお、ステップＳ２０２では、複合機２が印刷した印刷物Ｄ２に代えて、他の装置が印刷した印刷物Ｄ２が、セット部１２にセットされてもよい。この場合、ステップＳ２０１では、他の装置が印刷した印刷物Ｄ２に対応した選択肢データが選択肢データ記憶部２３４に記憶されればよく、画像データ記憶部２３１が画像データを記憶し、記憶された画像データに基づいて印刷機構１５が印刷を行う必要はない。
【０１１６】
また、ステップＳ２０５では、画像データ記憶部２３１が、選択された選択肢に対応して情報処理装置１００から送信された画像データを記憶する代わりに、選択された選択肢に対応してストレージ２１から読み出された画像データを記憶してもよい。
【０１１７】
図１８ないし図２１に基づいて、複合機２の使用例として、複数の写真５３にそれぞれ対応した複数のサムネイル５４が印刷された印刷物Ｄ２（写真インデックス）を用いて、所望の写真５３を印刷する場合の操作手順について説明する。
【０１１８】
まず、ユーザーは、図１８に示すように、印刷物Ｄ２をセット部１２にセットする。続いて、ユーザーは、図１９に示すように、セット部１２にセットされた印刷物Ｄ２に対し、所望のサムネイル５４が印刷された箇所に、タッチ操作を行う。このとき、タッチセンサー１４によりセット部１２に対するタッチ位置が検出され、検出されたタッチ位置が含まれるタッチ範囲と関連付けられたサムネイル５４が選択される。その結果、図２０に示すように、ディスプレイ１３に、タッチ操作が行われたサムネイル５４が表示される。
【０１１９】
続いて、ユーザーが、ディスプレイ１３に表示されたサムネイル５４を確認し、ディスプレイ１３に対して所定の操作を行うと、選択されたサムネイル５４に対応した写真５３の画像データが、情報処理装置１００から複合機２に送信される。これにより、図２１に示すように、選択されたサムネイル５４に対応した写真５３が印刷される。
【０１２０】
なお、セット部１２にセットされる印刷物Ｄ２としては、複数の写真５３にそれぞれ対応した複数のサムネイル５４が印刷された印刷物Ｄ２に限定されず、例えば、プレゼンテーション等に用いられる複数のスライドにそれぞれ対応した複数のサムネイル５４が印刷された印刷物Ｄ２を用いてもよい。この場合、複数のスライドのなかから、所望のスライドを印刷することができる。また、文章の目次のように、複数の見出しが印刷された印刷物Ｄ２を用いてもよい。この場合、文章全体のなかから、所望の見出しに該当する範囲を印刷することができる。
【０１２１】
以上のように、第２実施形態の複合機２は、セット部１２と、選択肢データ記憶部２３４と、タッチセンサー１４と、選択肢選択部２３５とを備えている。セット部１２には、複数の選択肢が印刷された印刷物Ｄ２がセットされる。選択肢データ記憶部２３４は、印刷物Ｄ２における選択肢の印刷範囲に対応したタッチ範囲と選択肢とが選択肢ごとに関連付けられた選択肢データを記憶する。タッチセンサー１４は、印刷物Ｄ２がセットされたセット部１２に対するタッチ位置を検出する。選択肢選択部２３５は、選択肢データにおいて、検出されたセット部１２に対するタッチ位置が含まれるタッチ範囲と関連付けられた選択肢を選択する。
この構成によれば、印刷物Ｄ２がセットされたセット部１２およびタッチセンサー１４をタッチパネルとして機能させることができる。このため、ユーザーは、セット部１２にセットされた印刷物Ｄ２に対してタッチ操作を行うことで、選択肢を選択することができる。したがって、画面サイズの小さなタッチパネルに対してタッチ操作を行う場合に比べ、タッチ操作の操作性に優れた複合機２を提供することができる。
【０１２２】
第２実施形態の変形例である複合機２ａについて説明する。第２実施形態の変形例の複合機２ａは、複合機２と同様に、選択肢選択処理を実行するものであるが、複数の送信先データに対応して複数の選択肢が印刷された印刷物Ｄ２ａ（図２４参照）を用いて、選択された選択肢に対応した送信先データに基づいて、画像データを送信するものである。
【０１２３】
図２２に基づいて、複合機２ａの全体構成について説明する。複合機２ａでは、制御回路２３が、機能部として、画像データ記憶部２３１と、選択肢データ記憶部２３４と、選択肢選択部２３５と、送信先データ取得部２３６とを備えている。送信先データ取得部２３６は、情報処理装置１００から送信された送信先データを取得する。
【０１２４】
図２２を参照しつつ、図２３に基づいて、複合機２ａが実行する選択肢選択処理について説明する。
【０１２５】
ステップＳ２１１ないしステップＳ２１４は、ステップＳ２０１ないしステップＳ２０４と同様に実行される。
【０１２６】
ステップＳ２１５では、ユーザーによりディスプレイ１３に表示された選択肢が確認され、ディスプレイ１３に対して所定のタッチ操作が行われると、送信先データ取得部２３６が、選択された選択肢に対応した送信先データとして、ファクシミリ番号をストレージ２１から読み出し、読み出されたファクシミリ番号を取得する。
【０１２７】
ステップＳ２１６では、通信インターフェース２２が、送信先データ取得部２３６により取得されたファクシリミ番号、すなわち、ステップＳ２１３において選択された選択肢に対応したファクシリミ番号、に基づいて、画像データをファクシミリ送信する。
【０１２８】
なお、ステップＳ２１５では、複合機２ａが、選択された選択肢に対応した送信先データを送信するように情報処理装置１００に要求し、情報処理装置１００から送信された送信先データを送信先データ取得部２３６が取得してもよい。
【０１２９】
また、送信先データは、ファクシミリ番号に限らず、例えば、メールアドレスでもよい。この場合、ステップＳ２１６では、通信インターフェース２２は、選択された選択肢に対応したメールアドレスに基づいて、画像データをメール送信する。
【０１３０】
図２４ないし図２６に基づいて、複合機２ａの使用例として、複数のファクシミリ送信先５５が印刷された印刷物Ｄ２ａを用いて、所望の送信先にファクシミリ送信を行う場合の操作手順について説明する。なお、印刷物Ｄ２ａは、図２４に示すように、複数のファクシミリ送信先５５が地図上に表されたものに限らず、例えば、リスト状に表されたものでもよい。
【０１３１】
まず、ユーザーは、図２４に示すように、印刷物Ｄ２ａをセット部１２にセットする。続いて、ユーザーは、図２５に示すように、セット部１２にセットされた印刷物Ｄ２ａに対して、所望のファクシミリ送信先５５が印刷された箇所に、タッチ操作を行う。このとき、タッチセンサー１４によりセット部１２に対するタッチ位置が検出され、検出されたタッチ位置が含まれるタッチ範囲と関連付けられたファクシミリ送信先５５が選択される。その結果、図２６に示すように、ディスプレイ１３に、タッチ操作が行われたファクシミリ送信先５５が表示される。このとき、ディスプレイ１３に、ファクシミリ送信先５５と共に、そのファクシミリ番号が表示されてもよい。
【０１３２】
続いて、ユーザーが、ディスプレイ１３に表示されたファクシミリ送信先５５を確認し、ディスプレイ１３に対して所定の操作を行うと、選択されたファクシミリ送信先５５に対応したファクシリミ番号が、情報処理装置１００から複合機２ａに送信される。これにより、選択されたファクシミリ送信先５５に基づいて、画像データが送信される。
【０１３３】
本発明の電子機器の第３実施形態である複合機３について説明する。第３実施形態の複合機３は、複数の操作対象部が印刷された印刷物Ｄ３（図２９参照）がセットされたセット部１２に対するタッチ位置を検出し、検出したタッチ位置に基づいて、操作対象部に応じた制御内容を行う操作制御処理を実行するものである。
【０１３４】
図２７に基づいて、複合機３の全体構成について説明する。複合機３では、制御回路２３が、機能部として、画像データ記憶部２３１と、操作対象部データ記憶部２３７と、制御部２３８とを備えている。
【０１３５】
操作対象部データ記憶部２３７は、操作対象部データを記憶する。操作対象部データとは、複数の操作対象部が印刷された印刷物Ｄ３における操作対象部の印刷範囲に対応したタッチ範囲と制御内容とが操作対象部ごとに関連付けられたものである。
【０１３６】
制御部２３８は、操作対象部データにおいて、検出されたセット部１２に対するタッチ位置が含まれるタッチ範囲と関連付けられた制御内容を行う。
【０１３７】
図２７を参照しつつ、図２８に基づいて、複合機３が実行する操作制御処理について説明する。
【０１３８】
ステップＳ３０１では、情報処理装置１００が、印刷物Ｄ３に対応した画像データおよび操作対象部データを複合機３に送信し、複合機３がこれを受信する。画像データおよび操作対象部データは、情報処理装置１００において、専用のアプリケーションプログラムにより作成されたものである。画像データは、画像データ記憶部２３１に記憶され、操作対象部データは、操作対象部データ記憶部２３７に記憶される。そして、印刷機構１５が、画像データに基づいて印刷を行うことにより、複数の操作対象部が印刷された印刷物Ｄ３が作成される。
【０１３９】
ステップＳ３０２では、ユーザーにより、ステップＳ３０１において印刷された印刷物Ｄ３がセット部１２にセットされる。
【０１４０】
ステップＳ３０３では、ユーザーにより、セット部１２にセットされた印刷物Ｄ３に対し、複数の操作対象部のなかから所望の操作対象部に対するタッチ操作が行われると、タッチセンサー１４が、印刷物Ｄ３がセットされたセット部１２に対するタッチ位置を検出する。
【０１４１】
ステップＳ３０４では、制御部２３８が、操作対象部データ記憶部２３７に記憶された操作対象部データを参照し、操作対象部データにおいて、検出されたセット部１２に対するタッチ位置が含まれるタッチ範囲と関連付けられた制御内容を行う。これにより、印刷物Ｄ３に印刷された複数の操作対象部のうち、タッチ操作が行われた操作対象部に応じた制御内容が実行される。
【０１４２】
上述したように、専用のアプリケーションプログラムにより作成された画像データおよび操作対象部データを用いることで、ユーザーは、その画像データに基づいて印刷された印刷物Ｄ３を、自分専用のユーザーインターフェースとして利用することができる。一方、専用のアプリケーションプログラムにより作成された画像データに基づいて印刷物Ｄ３を印刷する代わりに、例えば、複合機３に付属の印刷物Ｄ３を用いてもよい。また、専用のアプリケーションプログラムにより作成された操作対象部データに代えて、予めストレージ２１等に記憶された操作対象部データを用いてもよい。
【０１４３】
なお、ステップＳ３０１では、複合機３は、セット部１２にセットされた印刷物Ｄ３の種類を検出し、印刷物Ｄ３の種類に応じた操作対象部データを送信するように、情報処理装置１００に要求してもよい。また、複合機３は、予めストレージ２１に記憶された複数の操作対象部データのなかから印刷物Ｄ３の種類に応じた操作対象部データを読み出し、これを操作対象部データ記憶部２３７に記憶してもよい。複合機３は、印刷物Ｄ３の種類を、例えば、ディスプレイ１３に対するタッチ操作等により入力された、印刷物Ｄ３の種類ごとに定められた識別ＩＤに基づいて、或いは、印刷物Ｄ３に設けられた記憶素子（例えばＲＦタグ）から読み出された識別ＩＤに基づいて、検出する。
【０１４４】
図２９ないし図３１に基づいて、複合機３の使用例として、操作対象部として複数のキー５６が印刷された印刷物Ｄ３を用いて、所望の文字等を入力する場合の操作手順について説明する。なお、印刷物Ｄ３におけるキー５６の配列としては、一般的な配列（例えばＱＷＥＲＴＹ配列）に限らず、図２９に示すように、ユーザーの好みの配列を用いることができる。また、キー５６の言語も、特に限定されるものではない。
【０１４５】
操作対象部がキー５６である場合、操作対象部データには、制御内容として、各キー５６に対応した文字コードを、制御回路２３に設けられたテキストメモリーに記憶させると共に、そのキー５６に対応した画像を表示するようにディスプレイ１３を制御することが定められる。
【０１４６】
まず、ユーザーは、図２９に示すように、印刷物Ｄ３をセット部１２にセットする。続いて、ユーザーは、図３０に示すように、セット部１２にセットされた印刷物Ｄ３に対し、所望のキー５６（例えば、「Ａ」のキー５６）が印刷された箇所に、タッチ操作を行う。このとき、タッチセンサー１４によりセット部１２に対するタッチ位置が検出され、検出されたタッチ位置が含まれるタッチ範囲と関連付けられた制御内容が行われる。すなわち、制御部２３８は、「Ａ」の文字コードを、制御回路２３に設けられたテキストメモリーに記憶させる。また、制御部２３８は、「Ａ」のキー５６に対応した画像を表示するように、ディスプレイ１３を制御する。その結果、図３１に示すように、ディスプレイ１３に、タッチ操作が行われた、「Ａ」のキー５６に対応した画像が表示される。
【０１４７】
なお、このように、操作対象部として複数のキー５６が印刷された印刷物Ｄ３を用いる場合、複合機３は、読取りユニット１６により印刷物Ｄ３を読み取り、読み取られた画像データに対して文字認識処理を行うことで、操作対象部データを作成してもよい。
【０１４８】
操作対象部としては、キー５６に限定されるものではなく、例えば、図３２に示した印刷物Ｄ３ａのように、印刷方法を指定するためのアイコン５７であってもよい。なお、印刷物Ｄ３ａは、画面サイズの小さなタッチパネルの場合とは異なり、表示スペースの制約が少ないことから、図３２に示したように、アイコン５７と共に、アイコン５７の説明語句５８を記載することが可能である。また、操作対象部が印刷方法を指定するためのアイコン５７である場合、操作対象部データには、制御内容として、各アイコン５７に対応した印刷方法を実行するように、印刷機構１５を制御することが定められる。
【０１４９】
以上のように、第３実施形態の複合機３は、セット部１２と、操作対象部データ記憶部２３７と、タッチセンサー１４と、制御部２３８とを備えている。セット部１２には、複数の操作対象部が印刷された印刷物Ｄ３がセットされる。操作対象部データ記憶部２３７は、印刷物Ｄ３における操作対象部の印刷範囲に対応したタッチ範囲と制御内容とが操作対象部ごとに関連付けられた操作対象部データを記憶する。タッチセンサー１４は、印刷物Ｄ３がセットされたセット部１２に対するタッチ位置を検出する。制御部２３８は、操作対象部データにおいて、検出されたセット部１２に対するタッチ位置が含まれるタッチ範囲と関連付けられた制御内容を行う。
この構成によれば、印刷物Ｄ３がセットされたセット部１２およびタッチセンサー１４をタッチパネルとして機能させることができる。このため、ユーザーは、セット部１２にセットされた印刷物Ｄ３に対してタッチ操作を行うことで、複合機３に対して所望の制御内容を行わせることができる。したがって、画面サイズの小さなタッチパネルに対してタッチ操作を行う場合に比べ、タッチ操作の操作性に優れた複合機３を提供することができる。また、タッチセンサー１４の検出可能領域内にある筺体１１の面に、操作対象部が予め印刷された構成に比べ、ユーザーが操作対象部を変更する自由度が高く、製造コストも低減可能である。
【０１５０】
なお、ディスプレイ１３は、「表示部」の一例である。タッチセンサー１４は、「検出部」の一例である。印刷機構１５は、「印刷部」の一例である。読取りユニット１６は、「読取部」の一例である。ＡＤＦ１７は、「搬送部」の一例である。通信インターフェース２２は、「画像データ送信部」の一例である。
本発明は上記した実施形態に限定されず、その趣旨を逸脱しない範囲で種々の構成を採用可能であることは言うまでもない。
【符号の説明】
【０１５１】
１…複合機、１１…筺体、１２…セット部、１３…ディスプレイ、１４…タッチセンサー、１５…印刷機構、１６…読取りユニット、１７…ＡＤＦ、１８…排紙口、１９…搬送口
【図１】
2018082375.tif 000003
【図２】
2018082375.tif 000004
【図３】
2018082375.tif 000005
【図４】
2018082375.tif 000006
【図５】
2018082375.tif 000007
【図６】
2018082375.tif 000008
【図７】
2018082375.tif 000009
【図８】
2018082375.tif 000010
【図９】
2018082375.tif 000011
【図１０】
2018082375.tif 000012
【図１１】
2018082375.tif 000013
【図１２】
2018082375.tif 000014
【図１３】
2018082375.tif 000015
【図１４】
2018082375.tif 000016
【図１５】
2018082375.tif 000017
【図１６】
2018082375.tif 000018
【図１７】
2018082375.tif 000019
【図１８】
2018082375.tif 000020
【図１９】
2018082375.tif 000021
【図２０】
2018082375.tif 000022
【図２１】
2018082375.tif 000023
【図２２】
2018082375.tif 000024
【図２３】
2018082375.tif 000025
【図２４】
2018082375.tif 000026
【図２５】
2018082375.tif 000027
【図２６】
2018082375.tif 000028
【図２７】
2018082375.tif 000029
【図２８】
2018082375.tif 000030
【図２９】
2018082375.tif 000031
【図３０】
2018082375.tif 000032
【図３１】
2018082375.tif 000033
【図３２】
2018082375.tif 000034